(57)【要約】      （修正有）【課題】中仕切付き段ボールトレーとして、折畳み形態から使用形態への転換が操作的に極めて簡単であり、誰でも習熟を要さずに短時間で能率よくトレーを組み立てでき、段積み状態で振動等を受けても荷崩れしにくい。【解決手段】底板１に左右側板３，３が連設され、底板１には前後側板２Ａ，２Ｂ及び横仕切板４が下端部で接続する。折畳み状態では、左右側板３，３が外側へ倒伏し、前後側板２Ａ，２Ｂ及び両仕切板４，５が前後一方に倒伏している。組立状態では、切込み部４ａ，４ｂでの挿嵌によって十字形に交叉配置し、起立させた左右側板３，３の上部の係止片３ａが把手枠６の上板部６１の内縁側に係合して上方へ突出し、底部側に係止片３ａの直下に位置するスリット孔３３を有し、段積み時に下位トレーの係止片３ａが上位トレーのスリット孔３３に嵌入する。【選択図】図１
0003127781.tif 000002
【実用新案登録請求の範囲】
【請求項１】
複数の収容室を有し、左右両端部に把手枠が設けられてなる中仕切り付段ボール用トレーであって、
前記把手枠が、上板部と、その裏面に折り返される折り返し部と、把手枠の下方に位置する側板の上部に連設され前記上板部と折り返し部との間に挿入される折り返し用フラップとからなり、組立状態において、前記支持フラップを把手枠上板部下面に重合すると共に、該支持フラップの下側へ前記折返し用フラップを折り返し、この折返し用フラップに設けた係止片を左右側板側の係止溝に挿嵌固定するように構成されてなると共に、
前記上板部に、トレー内を少なくとも２つの収容室に区画する横仕切板が連設されてなることを特徴とする中仕切付き段ボールトレー。
【請求項２】
左右の把手枠の上板部間に前後側板と左右方向に沿う横仕切板とが連設され、その横仕
切板には切線を介して縦仕切板が連設され、底板に左右側板が連設されると共に、該底板
には前後側板及び横仕切板が下端部で接続し、
折畳み状態において、左右側板が底板と面一に外側へ倒伏し、前後側板及び連設した前
記両仕切板が前後一方に倒伏し、
組立状態において、切り離した縦仕切板を横仕切板に対して切込み部での挿嵌によって
十字形に交叉配置すると共に、起立させた左右側板の上部に設けた係止片が前記把手枠の
上板部の内縁側に係合して上方へ突出し、底部側に該係止片の直下に位置するスリット孔
を有し、段積み時に下位トレーの前記係止片が上位トレーの前記スリット孔に嵌入するよ
うに構成されてなる請求項１に記載の中仕切付き段ボールトレー。
【請求項３】
縦仕切板の前後両側に上端から所定深さに達する指入れ用切欠部を有すると共に、前後
側板の左右両側の中間高さ位置に指入れ孔を有してなる請求項２記載の中仕切付き段ボー
ルトレー。
【請求項４】
前後側板の一方と横仕切板が下端部で底板に接着されてなる請求項１ないし請求項３に記載の中仕切付き段ボールトレー。
【考案の詳細な説明】
【技術分野】
【０００１】
この考案は、主として青果物の運搬、保管、店頭展示等に利用する中仕切付き段ボール
トレーに関する。
【背景技術】
【０００２】
一般的に、イチゴやブドウの如き果物類、トマトやピーマンの如き野菜類、シイタケや
シメジの如き茸類等の小物の青果物は、一定量を矩形の透明プラスチックケースに入れた
パック単位で販売されることが多い。
【０００３】
そして、これらパック商品の運搬用として内側が十字形に仕切られた中仕切付き段ボールトレーが汎用されており、その４つの各収容室に１パックずつ詰めた状態で持ち運びを行なうと共に、そのままの形で保管や店頭展示にも供されている。
【０００４】
従来、この種の中仕切付き段ボールトレーとしては、所要形状に打ち抜かれた平坦な１
枚シートの形で供給され、使用者側で立体的に組み立てるものが知られていた（特許文献
１）。しかるに、このような段ボールトレーでは、平坦シートから組み上げるために、多
くの手順を経る複雑な操作が必要となり、多大な手間と時間を要して組立能率が悪い上、
使用者である農家や販売店で複雑な組立手法を習熟するのに困難を伴うという問題があっ
た。
【０００５】
そこで、近年においては、半組立状態で偏平に折畳み可能な中仕切付き段ボールトレー
も提案されている（特許文献２）。この段ボールトレーの半組立状態では、対向する一対
の上枠板の両側縁から側壁を介して繋がる一対の底板の先端部同士を繋ぎ合わせて底壁を
形成しており、一方の底板の先端縁から延出する仕切壁と両側壁とを倒伏させることによ
って全体が偏平に折り畳まれる。そして、使用時には、折畳み形態から仕切壁と両側壁を
起立させ、上枠板の内端縁に連設された内端板と外端板を折り重ね、この折り重ね部分を
下向きに折り曲げ、その折り重ね部分にある切込を仕切壁の切欠に差し込んで垂直の端壁
を構成し、この端壁のロック片を底壁のロック孔に係嵌すると共に、仕切壁に別体の仕切
板を切込同士の嵌合で十字形に組み付けるようになっている。
【０００６】
なお、このような中仕切付き段ボールトレーは、持ち運び易くするために、天板を設けて把手部としたものが設けられている。
【特許文献１】実開昭５７−１５４６２４号公報
【特許文献２】実開平１１−１７１１６５号公報
【考案の開示】
【考案が解決しようとする課題】
【０００７】
トレーを持ち運び易くするために把手部が設けられたものは、把手部が単に段ボール１枚の厚さ分しかないため、強度的にいささか弱かった。
【０００８】
また、前記の半組立状態で偏平に折畳み可能な中仕切付き段ボールトレーは、その折畳み形態から使用形態への組立操作は比較的に容易であるが、最終的に十字形に交叉配置させる仕切壁の一方が半組立状態でトレー本体とは別体の仕切板になるため、この仕切板が散逸して組み立てに支障をきたす懸念がある上、組立方法を熟知しない段階では上枠板の内端縁に連設された内端板と外端板から端壁を形成する操作に戸惑い易く、また運搬や保管に際してパック商品を収容した状態で段積みすると、振動等で荷崩れを生じ易いという難点があった。
【０００９】
この考案は、上述の状況に鑑み、中仕切付き段ボールトレーとして、折畳み形態から使用形態への転換が操作的に極めて簡単であり、誰でも習熟を要さずに短時間で能率よくトレーを組み立てでき、しかも段積み状態で振動等を受けても荷崩れしにくくかつ把手部の頑丈な中仕切付き段ボールトレーを提供することを目的としている。
【課題を解決するための手段】
【００１０】
上記目的を達成するために、この考案の請求項１に係る中仕切付き段ボールトレーは、複数の収容室を有し、左右両端部に把手枠が設けられてなる中仕切り付段ボール用トレーであって、前記把手枠が、上板部と、その裏面に折り返される折り返し部と、把手枠の下方に位置する側板の上部に連設され前記上板部と折り返し部との間に挿入される折り返し用フラップとからなり、前記上板部に、トレイ内を少なくとも２つの収容室に区画する横仕切板が連設され、組立状態において、前記支持フラップを把手枠上板部下面に重合すると共に、該支持フラップの下側へ前記折返し用フラップを折り返し、この折返し用フラップに設けた係止片を左右側板側の係止溝に挿嵌固定するように構成されると共に、前記上板部に、トレー内を少なくとも２つの収容室に区画する横仕切板が連設されている。
【００１１】
請求項２の考案は、請求項１の中仕切付き段ボールトレーにおいて、左右の把手枠の上板部間に前後側板と左右方向に沿う横仕切板とが連設され、その横仕切板には切線を介して縦仕切板が連設され、底板に左右側板が連設されると共に、該底板には前後側板及び横仕切板が下端部で接続し、折畳み状態において、左右側板が底板と面一に外側へ倒伏し、前後側板及び連設した前記両仕切板が前後一方に倒伏し、組立状態において、切り離した縦仕切板を横仕切板に対して切込み部での挿嵌によって十字形に交叉配置すると共に、起立させた左右側板の上部に設けた係止片が前記把手枠の上板部の内縁側に係合して上方へ突出し、底部側に該係止片の直下に位置するスリット孔を有し、段積み時に下位トレーの前記係止片が上位トレーの前記スリット孔に嵌入するように構成されている。
【００１２】
請求項３の考案は、上記請求項１又は２のいずれかの中仕切付き段ボールトレーにおいて、縦仕切板の前後両側に上端から所定深さに達する指入れ用切欠部を有すると共に、前後側板の左右両側の中間高さ位置に指入れ孔を有してなる請求項３記載の中仕切付き段ボールトレー。
【００１３】
請求項４の考案は、上記請求項１〜３のいずれかの中仕切付き段ボールトレーにおいて、  前後側板の一方と横仕切板が下端部で底板に接着されてなる請求項１ないし請求項４に記載の中仕切付き段ボールトレー。
【考案の効果】
【００１４】
請求項１の考案に係る中仕切付き段ボールトレーは、把手枠が上板部側が三重に構成されて高剛性で且つ高強度になると共に、左右側板の支持フラップが把手枠の上板部と折返し用フラップの間に挟まれて強固に保持されるから、収容物の重量が大きくなっても両側の把手枠によって底抜けの懸念なく安定に持ち運びできる。
【００１５】
また、上板部に、横仕切板が連設されているので、横仕切板を一体的に扱えて組立、保管に便利である。
【００１６】
請求項２の考案によれば、平坦な折畳み形態から立体的な使用形態へ転換する際、倒伏していた前後側板と横仕切板を把手枠の上板部ごと一体に引き起こして起立させ、左右側板を引き起こして把手枠の内側へ入り込ませると共に、横仕切板から切り離した縦仕切板を当該横仕切板に対して切込み部で挿嵌するだけでよい。しかして、組立前の左右側板は底板と面一に外側へ倒伏しているから、全くの初心者でも側板として引き起こすべき部位であることが判る。従って、誰でも習熟を要さずに短時間で能率よくトレーを組み立てできる上、折畳み形態では縦仕切板が切線を介して横仕切板に繋がっており、独立した別部材が存在しないから、別部材の散逸で組み立てに支障を生じることもない。
【００１７】
また、この段ボールトレーでは、パック商品等を納めた状態で輸送や保管のために複数
個を段積みした時、下位トレーの左右側板から上方へ突出した係止片を上位トレーの底部
のスリット孔に嵌入させることにより、上下のトレーが互いに係合して且つ位置ずれなく
積み上がるから、段積み状態の高い安定性が得られ、振動等を受けても荷崩れしにくくな
る。
【００１８】
請求項３の考案によれば、上記の中仕切付き段ボールトレーにおいて、縦仕切板の指入れ用切欠部や前後側板の指入れ孔を利用し、各収容室に納めたパック商品等を側方から指で持ち上げることができるから、該パック商品等の取り出しが容易になる。
【００１９】
請求項４の考案によれば、底板に対して前後側板の一方と横仕切板を接着する構成であるから、折畳み形態とする組立構造が非常に簡素になり、該折畳み形態の製作が容易であると共に、折畳み形態と使用形態との転換動作の高い信頼性が得られる。
【考案を実施するための最良の形態】
【００２０】
以下に、この考案の一実施形態に係る中仕切付き段ボールトレーについて、図面を参照
して具体的に説明する。
【００２１】
図１に示すように、この中仕切付き段ボールトレーＴは、その長手方向を左右として、
底板１と前後側板２Ａ，２Ｂ及び左右側板３，３とで構成されるトレーの内側が、十字形
に交叉配置した横仕切板４と縦仕切板５によって４つの収容室１０…に分画されると共に
、左右両端部が帯板状の上板部６１と前後側板２Ａ，２Ｂの端部２ａ，２ａとで下向き開
放コ字形をなす把手枠６を形成している。
【００２２】
しかして、この中仕切付き段ボールトレーＴは、全体が図２の展開状態で示す一枚物の
打抜き段ボールシートＳを原材料として、図３に示す半組立状態の折畳み形態Ｆから立体
的に組み上げられている。
【００２３】
図２に示す打抜き段ボールシートＳは、左右の把手枠６，６を構成する上板部６１，６
１の前後両端間に、折線ａ…を介して前後側板２Ａ，２Ｂが連設されると共に、両上板部
６１，６１の内縁側中央部に突設された四分円状の接続片６１ａ、６１ａ間に、折線ｂ…
を介して横仕切板４が連設され、更に該横仕切板４に切線ｐを介して縦仕切板５が連設さ
れている。また、前側側板２Ａの下縁側は折線ｃを介して矩形の底板１に連続しており、
該底板１の左右両側には折線ｄを介して左右側板３，３が連設されている。
【００２４】
そして、各把手枠６の上板部６１の内縁側には、接続片６１ａを挟む両側に浅い凹形の
係止部６１ｂ，６１ｂが設けられ、該上板部６１の外縁側には二重の折線ｅを介して折返
し用フラップ６２が連設されており、この折返し用フラップ６２の外縁側の両端部にロッ
ク片６２ａ，６２ａが突設されると共に、同外縁側の中央に半円形の指掛け用切欠６２ｂ
が形成されている。また、横仕切板４と縦仕切板５の長手方向（左右方向）中央部には、
互いに対向する切込み部４ａ，５ａが形成され、横仕切板４の下縁側には折線ｆを介して
糊代片４１が連設され、縦仕切板５の左右両側には上縁側に開放したＵ字形の指入れ用切
欠部５１，５１が形成されている。更に、前後側板２Ａ，２Ｂの左右両側にも、円形の指
入れ孔２１，２１が穿設されている。
【００２５】
一方、左右側板３，３の各上縁側には、折線ｇを介して帯状の支持フラップ３１が連設
されると共に、この連設境界部において、当該側板３側から連続して支持フラップ３１側
へ入り込む前後一対の係止片３ａ，３ａと、前後両側端から折線ｇに沿って中央側へ切り
込む前後一対のロック溝３２，３２とが形成されている。また、左右側板３，３と底板１
との境界部には、係止片３ａ，３ａに対応する前後一対のスリット孔３３，３３が穿設されている。更に、底板１の後縁側には折線ｈを介して糊代片１１が連設されている。
【００２６】
この打抜き段ボールシートＳから図３に示す折畳み形態Ｆに組み立てるには、後側側板
２Ｂの内面側下部に対する底板１の糊代片１１の接着と、底板１の内面中央部に対する横
仕切板４の糊代片４１の接着とを行うだけでよい。すなわち、糊代片１１の接着により、
底板１及び前後側板２Ａ，２Ｂと両把手枠６，６の上板部６１，６１との間で偏平な角筒
が構成されると共に、糊代片４１の接着により、該角筒内が幅方向中央で横仕切板４にて
区切られた形になるから、該角筒を平行四辺形状に押し潰す形で、前後側板２Ａ，２Ｂ及
び横仕切板４を一体に前後一方（図３では後方）へ倒伏させれば、図３に示す偏平な折畳
み形態Ｆになる。
【００２７】
このような折畳み形態Ｆとすることにより、中仕切付き段ボールトレーＴ自体の搬送や
保管を嵩張らない形で行えると共に、パック商品等を取り扱う使用者側で習熟を要さずに
短時間で能率よく使用形態に組み立てることができる。また、この折畳み形態Ｆでは、縦
仕切板５が横仕切板４と面一状態で繋がり、使用形態での全構成部分が一体になっている
から、独立した別部材の散逸で組み立てに支障を生じるようなことはない。しかして、こ
の折畳み形態Ｆは、打抜き段ボールシートＳから２ヵ所を接着するだけで構成できるから
、その製作加工が容易であると共に、構造的に非常に簡素であるために使用形態との転換
動作の高い信頼性が得られる。
【００２８】
次に、この折畳み形態Ｆから使用形態へ転換するための組立操作について説明する。ま
ず、折畳み形態Ｆで倒伏していた前後側板２Ａ，２Ｂ及び横仕切板４を、両把手枠６，６
の上板部６１，６１ごと一体に引き起こし、図４に示すように垂直に起立させる。これに
より、縦仕切板５も横仕切板４と一体に直立する。続いて、外側へ倒伏していた左右側板
３，３を引き起こし、各々支持フラップ３１が外向きに折れ曲がる状態で把手枠６の内側
へ入り込ませ、係止片３ａ，３ａが把手枠６の上板部６１の内縁側へ出る位置まで押し込
む。
【００２９】
そして、各把手枠６の折返し用フラップ６２を下に折り曲げて内側へ折り返し、その両
端のロック片６２ａ，６２ａを左右側板３，３の各上縁側のロック溝３２，３２に嵌入さ
せると、図５に示す状態となる。この段階では、左右側板３，３の各係止片３ａが把手枠６の
上板部６１の内縁側の係止部６１ｂに係合した状態で上方へ突出すると共に、底部側では
各係止片３ａの直下にスリット孔３３が配置している。
【００３０】
次に、横仕切板４から縦仕切板５を切り離し、図６に示すように該縦仕切板５の切込み
部５ａを横仕切板４の切込み部５ａに挿嵌させ、もって両仕切板４，５を十字形に交叉配
置して図１に示す使用形態を完成する。
【００３１】
この組み立てにおいては、折畳み形態Ｆでの左右側板３，３が底板１と面一に外側へ倒
伏しているから、例え全くの初心者であっても、前後側板２Ａ，２Ｂ及び横仕切板４を引
き起こした段階で、左右側板３，３が側面形成のために次に引き起こすべき部位であるこ
とが判る。また、左右側板３，３を把手枠６の内側へ押し込むことで、支持フラップ３１
が自動的に外向きに折れ曲がると共に、各係止片３ａが上板部６１の内縁側へ出て係止部
６１ｂに自動的に係合し、更に把手枠６の折返し用フラップ６２も下側へ折り返すだけで
、各ロック片６２ａが自動的に左右側板３の各上縁側のロック溝３２に嵌入固定される。
従って、組立手順は非常に簡単であり、その習熟に困難性はなく、誰でも短時間で能率よ
くトレーを組み立てることができる。
【００３２】
かくして使用形態に組み立てた中仕切付き段ボールトレーＴは、両仕切板４，５にて区
画された各収容室１０に、例えば図７の断面図において仮想線で示すように、青果物パッ
ク等のパック商品７を収容し、輸送、運搬、保管、店頭展示等に供する。しかして、縦仕
切板５の各指入れ用切欠部５１の深さと、前後側板２Ａ，２Ｂの各指入れ孔２１の位置は
、図示の如く収容部１０に納めたパック商品７の周縁張出部７ａのやや下方になるように
うに設定される。
【００３３】
パック商品７…を収容した中仕切付き段ボールトレーＴの運搬は、両手で左右の把手枠
６，６の上板部６１側を掴んで行うことになるが、この上板部６１側が当該上板部６１と
折返し用フラップ６２との間に左右側板３の支持フラップ３１を挟んだ三重構造をなして
高剛性且つ高強度である上、左右側板３が支持フラップ３１を介して把手枠６に強固に保
持されるから、パック商品７の重量が大きくなっても把手枠６の破断や底抜けの懸念なく
安定に持ち運びできる。
【００３４】
また、このパック商品７…を納めた段ボールトレーＴの複数個を輸送や保管のために段
積みする際、下位トレーの左右側板３，３から上方へ突出した各係止片３ａを上位トレー
の底部のスリット孔３２に嵌入させることにより、上下のトレーが互いに係合して且つ位
置ずれなく積み上がるから、段積み状態の高い安定性が得られ、振動等を受けても荷崩れ
しにくくなる。
【００３５】
更に、各収容部１０に納めたパック商品７を取り出す際に手掛かりが得られにくい場合
、縦仕切板５の指入れ用切欠部５１や前後側板２Ａ，２Ｂの指入れ孔２１から指を差し入
れ、パック商品７の周縁張出部７ａを側方から持ち上げることにより、該パック商品７の
取り出しが容易になる。
【００３６】
図８〜図１０は、この考案に係る中仕切付き段ボールトレーの第２実施形態を示すもので、この実施形態の中仕切付き段ボールトレーは、実質的に第１実施形態の中仕切付き段ボールトレーの長さ方向を半分にした大きさであって、２つの収容室を有している。
【００３７】
従って、第１実施形態の中仕切付き段ボールトレーとは、考案の重要部分の構造は同じであるので、詳細な説明は省略する。また、図中の符号も実質的に同一箇所については同一の符号を用いる。
【００３８】
大きな相違点だけを簡単に説明しておくと、中仕切板４が、その両側を上板部６１，６１に連設されたひとつだけで、その中央に５１が設けられている一方、。２Ａ、２Ｂの上端部に切欠凹部７１が設けられている。
【００３９】
この第２実施形態の中仕切付き段ボールトレーは、第１実施形態の中仕切付き段ボールトレーと同様に、組立手順は非常に簡単であり、その習熟に困難性はなく、誰でも短時間で能率よくトレーを組み立てることができる。
【００４０】
また、把手枠が三重構造をなして高剛性且つ高強度である上、左右側板３が支持フラップ３１を介して把手枠６に強固に保持されるから、パック商品７の重量が大きくなっても把手枠６の破断や底抜けの懸念なく安定に持ち運びできる。
【００４１】
更に、各収容部１０に納めたパック商品７を取り出す際に手掛かりが得られにくい場合
、横仕切板５の指入れ用切欠部５１から指を差し入れ、パック商品７の周縁張出部７ａを側方から持ち上げることにより、該パック商品７の取り出しが容易になる。
【００４２】
この考案の中仕切付き段ボールトレーは、左右側板３，３の両把手枠６に対する係合構造、各構成部の外形と寸法、各把手枠６における折返し用フラップ６２のロック構造等、細部構成については実施形態以外に種々設計変更可能である。
【図面の簡単な説明】
【００４３】
【図１】この考案の一実施形態に係る中仕切付き段ボールトレーの斜視図である。
【図２】同段ボールトレーの原材料である打抜き段ボールシートの平面図である。
【図３】同段ボールトレーの折畳み形態を示す斜視図である。
【図４】同折畳み形態から使用形態への組立初期段階を示す斜視図である。
【図５】同組立中間段階を示す斜視図である。
【図６】同組立最終段階を示す斜視図である。
【図７】同段ボールトレーの使用形態における縦断正面図である。
【図８】この考案の第２実施形態に係る中仕切付き段ボールトレーの斜視図である。
【図９】同段ボールトレーの原材料である打抜き段ボールシートの平面図である。
【図１０】同段ボールトレーの使用形態における縦断正面図である。
【符号の説明】
【００４４】
１・・・・底板
１０・・・収容部
２Ａ・・・前側側板
２Ｂ・・・後側側板
２１・・・指入れ孔
３・・・・左右側板
３ａ・・・係止部
３１・・・支持フラップ
３３・・・スリット孔
４・・・・横仕切板
４ａ・・・切込み部
５・・・・縦仕切板
５ａ・・・切込み部
５１・・・指入れ用切欠部
６・・・・把手枠
６１・・・上板部
６１ｂ・・係止部
６２・・・折返し用フラップ
７・・・・パック商品
７ａ・・・周縁張出部
Ｆ・・・・折畳み形態
Ｓ・・・・打抜き段ボールシート
Ｔ・・・・中仕切付き段ボールトレー
ａ〜ｈ・・折線
ｐ・・・・切線
【図１】
0003127781.tif 000003
【図２】
0003127781.tif 000004
【図３】
0003127781.tif 000005
【図４】
0003127781.tif 000006
【図５】
0003127781.tif 000007
【図６】
0003127781.tif 000008
【図７】
0003127781.tif 000009
【図８】
0003127781.tif 000010
【図９】
0003127781.tif 000011
【図１０】
0003127781.tif 000012
【手続補正書】
【提出日】平成18年10月18日(2006.10.18)
【手続補正１】
【補正対象書類名】実用新案登録請求の範囲
【補正対象項目名】請求項４
【補正方法】変更
【補正の内容】
【請求項４】
前後側板の一方と横仕切板が下端部で底板に接着されてなる請求項１ないし請求項３のいずれか一項に記載の中仕切付き段ボールトレー。